(57)【要約】      （修正有）【課題】気品のあるリングチェーンの装飾性を兼ね備えた、ブレスレット、アンクレット等のリング状のアクセサリーを提供する。【解決手段】挿通孔が形成された複数の装飾品１が数珠つなぎに連結された装飾部１０と、前記挿通孔に挿通する紐状の弾性体と、複数のリング３が帯状に連結されたリングチェーン３０と、前記紐状の弾性体の一端とリングチェーン３０の一端とを連結する第１の連結金具２０と、前記紐状の弾性体の他端とリングチェーン３０を構成する複数のリング３のうちいずれか一つのリング３とを選択的に連結する第２の連結金具６０とを備え、さらに、リングチェーン３０の他端とチャーム５０を連結する第３の連結金具７０を備えることを特徴とする。【選択図】図５
0003199848.tif 000002
【実用新案登録請求の範囲】
【請求項１】
挿通孔が形成された複数の装飾品が数珠つなぎに連結された装飾部と、前記挿通孔に挿通する紐状の弾性体と、複数のリングが帯状に連結されたリングチェーンと、前記紐状の弾性体の一端と前記リングチェーンの一端とを連結する第１の連結金具と、前記紐状の弾性体の他端と前記リングチェーンを構成する複数リングのうちいずれか一つのリングとを選択的に連結する第２の連結金具とを備えることを特徴とするアクセサリー。
【請求項２】
チャームと、前記リングチェーンの他端とチャームを連結する第３の連結金具を備えることを特徴とする請求項１に記載のアクセサリー。
【考案の詳細な説明】
【技術分野】
【０００１】
本考案は、ブレスレット、アンクレット等のリング状のアクセサリーに関する。
【背景技術】
【０００２】
ブレストレットや、アンクレット等のリング状のアクセサリーは、アクセサリーを装着する個々人の手首の径、足首の径に相違に対応するために、その内径を調整できることが望ましい。
【０００３】
従来、リング状のアクセサリーの内径を調整する方法として、装飾部に挿通孔を設け、挿通孔に伸縮可能なシリコンゴム等の弾性物質を挿通して、その内径を伸縮自在に調整する方法（例えば特許文献１）、あるいは、装飾部にリングチェーンを使用し、リングチェーンの一端に引き輪やカニカン等の連結金具を装着し、リングチェーンの所望のリング位置に引き輪やカニカン等の連結金具を嵌入させることにより、その内径を調整する方法などが用いられてきた。
【先行技術文献】
【特許文献】
【０００４】
【特許文献１】実開平６−６２８１０号公報
【考案の概要】
【考案が解決しようとする課題】
【０００５】
装飾部に挿通孔を設け、挿通孔に伸縮可能なシリコンゴム等の弾性物質を挿通してリング状のアクセサリーの内径を伸縮自在に調整する方法は、伸縮自在なため、容易に手首、腕または足首に装着することができる利点がある一方で、外観が安価に見えるため、装飾品としての価値が低くみられる傾向があった。
【０００６】
また、装飾部にリングチェーンを使用し、リングチェーンの一端に引き輪やカニカン等の連結金具を装着し、リングチェーンの所望のリング位置に引き輪やカニカン等の連結金具を嵌入させることでブレスレットやアンクレットの径を調整するなどの方法は、リングチェーンに貴金属を使用し、リングチェーンの他端にチャームを装着するものもあり、装飾品としての価値が高くみられる利点がある一方で、リングチェーンの特定のリング位置にカニカンや引き輪等の連結金具を嵌入する必要があるため、ブレスレットやアンクレットを着脱するたびに、引き輪やカニカン等の連結金具を嵌入し、あるいは、取り外す手間が掛かる。また、貴金属のリングチェーンを用いる場合、伸縮させることができず手首、腕、足首との間に隙間が生じるという難点があった。
【０００７】
上記課題に鑑み、本考案は、リング状のアクセサリーの内径を伸縮自在に調整することができるとともに、貴品のあるリングチェーンの装飾性を兼ね備えたブレスレット、アンクレット等のリング状のアクセサリーを提供しようとするものである。
【課題を解決するための手段】
【０００８】
前記課題を解決するための本考案に係るリング状のアクセサリーは、挿通孔が形成された複数の装飾品が数珠つなぎに連結された装飾部と、前記挿通孔に挿通する紐状の弾性体と、複数のリングが帯状に連結されたリングチェーンと、前記紐状の弾性体の一端と前記リングチェーンの一端とを連結する第１の連結金具と、前記紐状の弾性体の他端と前記リングチェーンを構成する複数リングのうちいずれか一つのリングとを選択的に連結する第２の連結金具とを備えることを特徴とする。
【０００９】
また、本考案に係るリング状のアクセサリーは、上記の特徴に加えて、チャームと、前記リングチェーンの他端とチャームを連結する第３の連結金具を備えることを特徴とする。
【考案の効果】
【００１０】
本考案によれば、内径を伸縮自在に調整することができるとともに、貴品のあるリングチェーンの装飾性を兼ね備えたブレスレット、アンクレット等のリング状のアクセサリーを提供することができる。
【図面の簡単な説明】
【００１１】
【図１】本考案に係る装飾品の一例を示す図。
【図２】本考案に係る装飾部及び第１の連結金具を示す図。
【図３】本考案に係る装飾部、リングチェーン及び第１の連結金具を示す図。
【図４】本考案に係る装飾部、リングチェーン及び第２の連結金具を示す図。
【図５】本考案に係るアクセサリーの全体図。
【考案を実施するための形態】
【００１２】
以下、図面を参照して本考案の望ましい実施形態を詳細に説明する。但し、本考案は多くの異なる態様で実施することが可能であり、以下に示す実施の形態の記載内容に限定して解釈されるものではない。
【００１３】
図１及び図２を参照して、本考案に係る装飾部について説明する。図１は、本考案に係る数珠つなぎに連結する装飾品の一例として球状の装飾品１を示した図である。球状の装飾品１には、挿通孔１２が形成されている。この挿通孔１２に紐状の弾性体１１を挿通させる。装飾品１は、ビーズ、真珠、など挿通孔を形成できるもので装飾性のあるものであれば、特に限定されない。
【００１４】
図２（ａ）および（ｂ）は、複数の装飾品１が数珠つなぎに連結された状態を示す図である。複数の装飾品１の挿通孔１２に、一本の紐状の弾性体１１を挿入して、複数の装飾品１を数珠つなぎに連結させて装飾部１０を形成する。紐状の弾性体１は、いわゆるゴム紐であり、例えば、シリコンゴム、ポリウレタンゴムを使用してもよい。
【００１５】
図２（ａ）および（ｂ）に示す第１の連結金具２０により、紐状の弾性体１の一端とリングチェーン３０の一端とが連結される。第１の連結金具２０は、いわゆるボールチップを使用する。第１の連結金具２０は、装飾性を高めるため、金等のメッキ加工が施された金属材料を使用することが望ましい。図２（ａ）に示すように、紐状の弾性体１の一端を第１の連結金具２０に通し、第１の連結金具２０の球面内部で紐状の弾性体１の一端を固結びした後に、第１の連結金具２０をラジオペンチ等を使用して球状にして固結びした紐状の弾性体１を内部に閉じ込む。紐状の弾性体１の一端を固結びする方法以外に、紐状の弾性体１の一端につぶし玉（かしめ玉）を通して、つぶし玉（かしめ玉）を第１の連結金具２０の内部に閉じ込むようにしてもよい。図２（ｂ）は、第１の連結金具２０を球状にして、紐状の弾性体１の一端を閉じ込めた後の状態を示す図である。
【００１６】
図３は、装飾部１０とリングーチェーン３０とが第１の連結金具２０により連結されていることを示す図である。第１の連結金具の他端２１は、リングチェーン３０の一端３Ａとを連結するための予めリング状に形成されていることが望ましい。リング状に形成された第１の連結金具の他端２１に、リングチェーンの一端３Ａを連結させる。
【００１７】
図３に示すリングチェーンの他端３Ｚには、外側にリング４０が形成されたチャーム５０が連結されている。リングチェーンの他端３Ｚと、チャームと一体に形成されたリング４０とを連結する方法は、第３の連結金具７０を介して連結してもよい。第３の連結金具７０には、例えば、丸カン、カニカン、引き輪のいずれかを使用する。
【００１８】
図４は、紐状の弾性体１１の他端とリングチェーン３０を構成する複数のリング３のうちから所望のリングを選択的に連結できる第２の連結金具６０を示した図である。第２の連結金具６０は、第１の連結金具２０と同様にボールチップを使用する。図４には示さないが、第１の連結金具２０と同様に、紐状の弾性体１１の他端を第２の連結金具６０に通し、第２の連結金具６０の球面内部で紐状の弾性体１１の他端を固結びした後に、第２の連結金具６０をラジオペンチ等を使用して球状にして固結びした紐状の弾性体１１を閉じ込む。紐状の弾性体１１の他端を固結びする方法以外に、紐状の弾性体１１の他端につぶし玉（かしめ玉）を通して、つぶし玉（かしめ玉）を第２の連結金具６０の内部に閉じ込むようにしてもよい。
【００１９】
第２の連結金具の他端６１は、リングチェーン３０を構成する複数のリング３から所望のリングを選択的に連結できるようにするため、予め丸カン、カニカン、引き輪のいずれかが形成され、あるいは、ロウ付けや溶接されていることが望ましい。図４に示す第２の連結金具の他端６１には、一例として引き輪が形成されている。
【００２０】
この第２の連結金具の他端６１の引き輪を、リングチェーン３０を構成する複数のリング３のうちから所望のリングを選択的に連結することにより、アクセサリーの内径を調整することができる。
【００２１】
図５は、本考案に係るアクセサリーの全体図である。装飾部１０には、伸縮自在の紐状の弾性体１１（シリコンゴムまたはポリウレタンゴムを使用した紐）が挿通されているので、アクセサリーの内径を伸縮自在に調整することができるとともに、さらに、第２の連結金具６０の他端６１の引き輪を、リングチェーン３０を構成する複数のリング３のうちから所望のリングに選択的に連結することによっても、アクセサリーの内径を調整することができる。また、貴品のあるリングチェーン３０と、さらに、リングチェーン３０の他端３Ｚにチャーム５０を連結することによって、より装飾性の高いブレスレット、アンクレット等のリング状のアクセサリーを提供することができる。
【符号の説明】
【００２２】
１    装飾品
３    リング
３Ａ  リングチェーンの一端
３Ｚ  リングチェーンの他端
１０  装飾部
１１  紐状の弾性体
１２  挿通孔
２０  第１の連結金具
２１  第１の連結金具の他端
３０  リングチェーン
４０  チャームと一体に形成されたリング
５０  チャーム
６０  第２の連結金具
６１  第２の連結金具の他端
７０  第３の連結金具
【図１】
0003199848.tif 000003
【図２】
0003199848.tif 000004
【図３】
0003199848.tif 000005
【図４】
0003199848.tif 000006
【図５】
0003199848.tif 000007